(57)【特許請求の範囲】
【請求項１】
水底に沈設されたシンカーに結合する係留索を介して水面下の所定域に浮遊状態で係留される水中浮力体に対して、作業船から繰り出す回収索の先端側と結合した回収用金具が着脱可能に取り付けられた遠隔操作無人探査機を、作業船と水中浮力体とを繋ぐ案内索を利用しながら水中浮力体の近くまで吊り降ろし、その回収用金具に係留索を抱持させ、その後、回収用金具と遠隔操作無人探査機とを分離し、遠隔操作無人探査機を引き上げ、作業船で回収索を巻き上げて水中浮力体をシンカーごと引き上げる水中浮力体の回収方法であって、前記係留索は、シンカーと連結された主係留索と、水中浮力体と連結された副係留索とからなり、それら主係留索と副係留索との連結部分は主係留索が折り返され、その折り返し部分の周囲にロープがコイル状に巻かれており、前記回収索の巻上げの際は、前記回収用金具が主係留索を抱持した状態で該回収用金具の上端部が前記コイル状のロープ下端部に当接することを特徴とする水中浮力体の回収方法。
【請求項２】
請求項１記載の水中浮力体の回収方法に使用する回収用金具であって、
回収索が連結され、上端部から下端部に向かうに従い内側に傾斜するガイド面部を有するケーシングと、
外側に該ケーシングのガイド面部に当接して案内される被ガイド面部を備える一方、内側に主係留索の外径とほぼ同じ湾曲面により両側から主係留索を抱持する湾曲面部をそれぞれ有する一対のチャッキングブロックと、
その一対のチャッキングブロックを下方に押圧する押圧部と、
主係留索を抱持するまでは前記押圧部に押圧状態を保持させたまま各チャッキングブロックの一部分に係合して各チャッキングブロックの下方への移動を阻止し、該主係留索が各チャッキングブロックの湾曲面部の間に位置すると、各チャッキングブロックの一部分への係合を解放して、前記押圧部により各チャッキングブロックの被ガイド面部をケーシングのガイド面部に案内させながら各チャッキングブロックをケーシングに対し前進させ、その湾曲面部に主係留索を抱持させる揺動フックと、
前記コイル状のロープ下端部に当接し、前記主係留索を引っ張る際の引張力を受けるストッパーと、を有することを特徴とする回収用金具。
【請求項３】
請求項２記載の回収用金具において、一対のチャッキングブロックは、高密度ポリエチレンで構成されていることを特徴とする回収用金具。
【請求項４】
請求項２または請求項３記載の回収用金具において、前記チャッキングブロックは、それぞれ、回転可能に取り付けられた回転体の一部分が切り欠かれた切欠部を有し、その切欠部により主係留索を受けて回転し該主係留索を捕捉するロープ止め金具を有することを特徴とする回収用金具。
【請求項５】
請求項４記載の回収用金具において、前記チャッキングブロックそれぞれのロープ止め金具は、上下方向にずれた位置に設けられていることを特徴とする回収用金具。
【発明の詳細な説明】
【技術分野】
【０００１】
本発明は、水底に沈設したシンカー（「アンカー」ともいう。）に対して、係留索を介して海域や淡水域の中層水深に浮遊状態で係留される中層浮魚礁や観測ブイ等の水中浮力体をシンカーごと回収する水中浮力体の回収方法および回収用金具に関する。
【背景技術】
【０００２】
この種の水中浮力体としては、広い深度領域に亘って集魚効果が得られるように、水中浮力体を柱状に形成すると共に、この水中浮力体を繊維強化プラスチック管や鋼管による密閉構造として浮体を兼ねた構造のものが知られている。また、複数の環状の枠体を上下に配置し、これら環状枠体の外周に網を張設すると共に、この内部にブイ状の浮体を設けた構造の水中浮力体も知られている。斯かる水中浮力体は、水面下２０〜３００ｍ程度の水深に定位するように、シンカーと係留索を用いて設置されるが、水中浮力体の耐用年数が経過した場合などには、環境保全等の理由から、水中からの引上げ、回収が求められている。
【０００３】
そこで、例えば、設置場所の水深がそれほど深くない場合には、ダイバーが潜水して係留索を切断し、水面上に浮き上がった水中浮力体を作業船上に引き揚げている。一方、大水深型の水中浮力体では、ダイバーによる潜水作業が困難であることから、作業船からの信号で水中浮力体がシンカーから離脱するようなシステムが提案されている（特許文献１）。すなわち、このシステムでは、水中浮力体と水底に沈設されたシンカーとを連結する係留索のシンカーに近い位置に、超音波信号で作動する切離し装置を介在させることにより、必要時に水中浮力体を水面上に浮き上がらせて回収する。
【先行技術文献】
【特許文献】
【０００４】
【特許文献１】実用新案登録第３１０１４３３号公報
【発明の概要】
【発明が解決しようとする課題】
【０００５】
しかし、上記従来技術においては、分断した位置よりも下方の係留索とシンカーとをそのまま水中に放置するため、水底近くに放置されたこれら部材が、漁業者の操業の妨げとなることもあり、その改善が強く望まれていた。特に、国際的な環境への配慮から、水中浮力体の耐用年数の超過後はシンカーを含め全て回収することが要求されている。ところで、シンカーは一般的にコンクリートで製作されており、その重さは水中重量で約６ｔ、引き上げ力を考慮すると約１０ｔ程度の力で持ち上げる必要がある。このため、シンカーに連結されている係留索を切断しないようにその一部分を確実に抱持し、シンカーごと水上まで引き上げ可能な回収方法および回収用金具が要求されている。
【０００６】
また、通常、係留索は合成繊維製のロープであるため、一点を集中して強い力で挟持して引っ張ると切断のおそれがある。また、係留索はその径が統一されておらずまちまちである。そのため、ある程度の範囲の径の係留索に対応でき、しかもシンカーに連結された係留索を高速に巻き上げても係留索が切断されないような回収方法および回収用金具が望まれている。
【０００７】
そこで、本発明は、このような問題点に鑑みなされたもので、ある程度の範囲の径（太さ）の係留索でも一点集中にならずに確実に連結して、シンカーを含む水中浮力体の全体を水中から簡単かつ確実に引き上げることのできる水中浮力体の回収方法よび回収用金具を提供することを目的とする。
【課題を解決するための手段】
【０００８】
上記従来技術の問題点を解決するため、請求項１の発明の水中浮力体の回収方法は、水底に沈設されたシンカーに結合する係留索を介して水面下の所定域に浮遊状態で係留される水中浮力体に対して、作業船から繰り出す回収索の先端側と結合した回収用金具が着脱可能に取り付けられた遠隔操作無人探査機を、作業船と水中浮力体とを繋ぐ案内索を利用しながら水中浮力体の近くまで吊り降ろし、その回収用金具に係留索を抱持させ、その後、回収用金具と遠隔操作無人探査機とを分離し、遠隔操作無人探査機を引き上げ、作業船で回収索を巻き上げて水中浮力体をシンカーごと引き上げる水中浮力体の回収方法であって、係留索は、シンカーと連結された主係留索と、水中浮力体と連結された副係留索とからなり、それら主係留索と副係留索との連結部分は主係留索が折り返され、その折り返し部分の周囲にロープがコイル状に巻かれており、回収索の巻上げの際は、回収用金具が主係留索を抱持した状態で該回収用金具の上端部が前記コイル状のロープ下端部に当接することを特徴とする。この方法によると、主係留索に対して回収用金具が緩く包み込んだ状態で連結され、回収索を巻き上げたとき、回収用金具の上端部がコイル状のロープ下端部に当接し、そのロープがコイルの軸心方向に圧縮されることによりクッションの役目を果たすので、回収索を高速で巻上げても、主係留索の一点に力が集中することがなくなり、主係留索の切断を確実に防止して、シンカーを含む水中浮力体の全体を水中から簡単かつ確実に引き上げることができる。
また、請求項２の発明の回収用金具は、請求項１記載の水中浮力体の回収方法に使用する回収用金具であって、回収索が連結され、上端部から下端部に向かうに従い内側に傾斜するガイド面部を有するケーシングと、外側に該ケーシングのガイド面部に当接して案内される被ガイド面部を備える一方、内側に主係留索の外径とほぼ同じ湾曲面により両側から主係留索を抱持する湾曲面部をそれぞれ有する一対のチャッキングブロックと、その一対のチャッキングブロックを下方に押圧する押圧部と、係留索を抱持するまでは前記押圧部に押圧状態を保持させたまま各チャッキングブロックの一部分に係合して各チャッキングブロックの下方への移動を阻止し、該主係留索が各チャッキングブロックの湾曲面部の間に位置すると、各チャッキングブロックの一部分への係合を解放して、前記押圧部により各チャッキングブロックの被ガイド面部をケーシングのガイド面部に案内させながら各チャッキングブロックをケーシングに対し前進させ、その湾曲面部に主係留索を抱持させる揺動フックと、前記コイル状のロープ下端部に当接し、前記主係留索を引っ張る際の引張力を受けるストッパーと、を有することを特徴とする。この回収用金具によると、湾曲面部により主係留索を抱持、すなわち緩く包み込むような状態で保持すると共に、ストッパーがコイル状のロープ下端部に当接して主係留索を引っ張る際の引張力を受けるので、ある程度の範囲の径（太さ）の主係留索でも一点集中にならずに確実に連結して、シンカーを含む水中浮力体の全体を水中から簡単かつ確実に引き上げることができる。
また、請求項３の発明の回収用金具は、請求項２記載の回収用金具において、一対のチャッキングブロックは、高密度ポリエチレンで構成されていることを特徴とする。これにより、チャッキングブロックの湾曲面部と主係留索との間の摩擦抵抗が小さくなるので、主係留索を抱持してもチャッキングブロック内で主係留索が滑り易くなり、主係留索の一点に強い力が働くことをより効果的に防止でき、金属で製作した場合に比べて軽量化できる。
また、請求項４の発明の回収用金具は、請求項２または請求項３記載の回収用金具において、前記チャッキングブロックには、それぞれ、回転可能に取り付けられた回転体の一部分が切り欠かれた切欠部を有し、その切欠部により主係留索を受けて回転し該主係留索を捕捉するロープ止め金具を有する。これにより、主係留索がロープ止め金具に当ると、ロープ止め金具が回転して主係留索を抜けないように補足するので、主係留索を確実にチャッキングブロックの湾曲面部間に案内することができる。
また、請求項５の発明の回収用金具は、請求項４記載の回収用金具において、前記チャッキングブロックそれぞれのロープ止め金具は、上下方向にずれた位置に設けられていることを特徴とする。これにより、上下２箇所のずれた位置で対向するチャッキングブロックに設けられたロープ止め金具がそれぞれ反対方向に回転して主係留索を補足するので、より広範囲で主係留索を捕捉できると共に、主係留索が抜けないようより確実にチャッキングブロックの湾曲面部間に案内することができる。
【発明の効果】
【０００９】
本発明に係る水中浮力体の回収方法よび回収用金具では、回収用金具が主係留索に対して緩く包み込むような状態で連結すると共に、その上端部が主係留索と副係留索の連結部分に設けられたコイル状のロープ下端部に当接し、引き上げる際にコイル状のロープがコイルの軸心方向に圧縮されることにより、クッション層としての役目を果たすので、回収索を高速で巻上げても、主係留索の一点に力が集中するということがなくなり、係留索の切断を確実に防止して、シンカーを含む水中浮力体の全体を水中から簡単かつ確実に引き上げることができる。
【図面の簡単な説明】
【００１０】
【図１】水中浮力体の一例を示す図である。
【図２】回収索取付前の状態を示す図である。
【図３】回収索取付後の状態を示す図である。
【図４】主係留索と副係留の連結部分である端末加工部の構造を示す図である。
【図５】主係留索に回収用金具を抱持させ引き上げる際の挙動を示す部分拡大図である。
【図６】水中浮力体やコンクリートシンカーを作業船上に回収している状態を示す図である。
【図７】本発明に係る回収用金具の一例の底面図である。
【図８】係留索を抱持する前の回収用金具の状態を示す構成図である。
【図９】係留索を抱持するときのロープ止め金具や揺動ピンの動きを示す図である。
【図１０】係留索を抱持したときの回収用金具の状態を示す構成図である。である。
【発明を実施するための形態】
【００１１】
以下、本発明に係る水中浮力体の回収方法よび回収用金具の実施形態について説明する。なお、以下では、水中浮力体として、海底に沈設されたシンカーに結合する係留索を介して海面下の所定域に浮遊状態で係留される中層浮魚礁を一例に説明するが、本発明は、以下の実施形態に限定されるものではなく、本発明の技術思想内での種々の変更実施ができるものである。
【００１２】
≪中層浮魚礁（水中浮力体）≫
図１は、中層浮魚礁の一例を示す図である。中層浮魚礁２は、主係留索３１と副係留索３２とを介してコンクリートシンカー４に連結され、海中に所定域に係留され、魚礁として使用されるもので、剛体タイプと柔体タイプとがある。なお、主係留索３１と副係留索３２との間に下部浮力体を設けたものも存在する。
【００１３】
≪中層浮魚礁の回収方法≫
次に、中層浮魚礁の回収方法について、図２〜図６を参照して説明する。
【００１４】
図２に示すように回収索取付前は、まず、作業船５から案内索（ガイドロープ）６を中層浮魚礁２の上部等に引っ掛ける。そして、この案内索６を利用して、先端に回収用金具１が連結された回収索７を、ＲＯＶ(Remotely operated vehicle；遠隔操作無人探査機)８に取り付けて中層浮魚礁２下端の主係留索３１に向けて送り出す。ＲＯＶ８は、遠隔操作により作動するものであるが、海中カメラを備えており、その映像を海上で確認しながら操作する。なお、ＲＯＶ８には、ＲＯＶコード８１の一端が接続され、その他端が海上の作業船５の制御装置（図示せず。）に接続されることにより、作業船５上から海中におけるＲＯＶ８の動作を精度よく自在に操作することができる。
【００１５】
次に、図３に示すように、ＲＯＶ８に取り付けられた回収用金具１が中層浮魚礁２の下端付近の主係留索３１に連結されると、ＲＯＶ８は回収用金具１を離脱する。ここで、回収用金具１は、後述するように、主係留索３１に対して緩く包み込んだ状態で連結する。その理由は、強く挟さんだ場合には、主係留索３１の挟持部分に一点集中の力が働き、特に合成樹脂製のロープからなる主係留索３１では、応力集中による強度低下を招き、破断するおそれがあるからである。なお、回収用金具１による主係留索３１との連結は、制御装置からのＲＯＶ８の操作で行うか、あるいは回収用金具１が主係留索３１に到達したときのＲＯＶ８の操作によることなく、回収用金具１自体に設けた仕掛けにより行うようにしても良い。その後、作業船５のウインチ５１等を使用して回収索７を巻き上げる。
【００１６】
図４は、主係留索３１と副係留索３２の連結部分である端末加工部の構造を示す図である。主係留索３１および副係留３２は、その径が特に統一されているものではなく、例えば、直径約３８ｍｍ〜４５ｍｍの合成繊維製ロープが比較的数多く使用されている。図４（ａ）に示すように、主係留索３１と副係留索３２とは、主係留索３１の先端を所定長だけ折り返してリング部３１ａを構成し、このリング部３１ａに対して、同じように端部をリング状にした複数本（ここでは、便宜上、３本とする。）の副係留索３２を挿通することにより連結する。また、主係留索３１の折返し部分３１ｂに、直径８ｍｍ程度の細径のロープ３３ａをコイル状に巻き付けて端末加工部３３としている。
【００１７】
図５（ａ）〜（ｃ）は、それぞれ、主係留索３１に本発明に係る回収用金具１を取り付け、引き上げる際の挙動を示す部分拡大図である。図２に示すようにＲＯＶ８先端に取り付けられた回収用金具１が中層浮魚礁２下方の主係留索３１に到達し、回収用金具１に主係留索３１が当ると、図５（ａ）に示すように回収用金具１が主係留索３１を抱持した状態で連結され、その確認がなされた後、ＲＯＶ８から回収用金具１を離脱する。主係留索３１から離れたＲＯＶ８は、作業船５上に引き上げる。そして、作業船５上のウインチ５１で回収索７を巻き上げると、回収索７先端に連結された回収用金具１が上昇し、図５（ｂ）に示すように、回収用金具１の上端部が主係留索３１と副係留索３２の連結部分である端末加工部３３のコイル状のロープ３３ａの下端に当接する。さらに、ウインチ５１で回収索７を巻き上げると、図５（ｃ）に示すように、端末加工部３３においてコイル状に巻き付けられた状態のロープ３３ａは、回収用金具１の上端部と主係留索３１上部のリング部３１ａとの間に挟まれ、あたかもスプリングのように軸心方向に圧縮される。そのため、ウインチ５１が回収索７を高速に巻き上げても、端末加工部３３に巻かれたロープ３３ａが圧縮してクッションの役割を果たし、主係留索３１に急激に過大な引張力がかかることを防止するので、主係留索３１の切断を防止することができる。
【００１８】
そして、図６に示すように、ウインチ５１で回収索７をさらに巻き上げ、回収索７により、中層浮魚礁２、主係留索３１および副係留索３２、コンクリートシンカー４の全てを作業船５上に回収する。この回収方法によれば、ある程度の範囲内の外径の主係留索３１であれば、局部的に挟みつけることなく確実に回収用工具１が抱持状態で連結し、しかも端末加工部３３に巻かれたコイル状のロープ３３ａのクッション作用を利用して、コンクリートシンカー４を含む中層浮魚礁２の全体を海中から簡単かつ確実に引き上げることができる。
【００１９】
≪回収用金具の構成≫
次に、上述の水中浮力体の回収方法に使用する回収用金具１の実施形態を、図面を参照して説明する。
【００２０】
図７は、本発明に係る回収用金具の底面図である。また、図８（ａ），（ｂ）は、主係留索と連結する前の回収用金具の状態を示す正面図、側面断面図、図９（ａ）〜（ｄ）は、主係留索と連結するときのロープ止め金具や揺動ピンの動きを示す図、図１０（ａ），（ｂ）は、それぞれ、主係留索を抱持した状態で連結しているときの回収用金具を示す正面図、側面断面図である。
【００２１】
図７〜図１０において、この回収金具１は、主な部材として、ケーシング１１と、上面フランジ板１２と、スライドガイド１３ａ，１３ｂと、一対のチャッキングブロック１４ａ，１４ｂと、押圧部材１５ａ，１５ｂと、揺動フック１６、ストッパー１７などを有して構成されている。
【００２２】
ケーシング１１は、断面コ字状に形成されており、左右両側のフランジ部１１ａ，１１ｂ内側に上端部から下端部に向かうに従い内側に傾斜した一対のガイド面部１１ａ１，１１ｂ１を有する。ガイド面部１１ａ１，１１ｂ１には、それぞれ、チャッキングブロック１４ａ，１４ｂが図７上、手前側に飛び出さないようにスライドガイド１３ａ，１３ｂがボルト等により取り付けられる。また、左右両側のフランジ部１１ａ，１１ｂ外側にはアイプレート１１ｃ，１１ｄが溶接され、アイプレート１１ｃ，１１ｄには、回収索７と連結するためのダブリング１１ｃ１，１１ｄ１が設けられている。また、左右両側のフランジ部１１ａ，１１ｂの上部に上面フランジ板１２が取り付けられる。上面フランジ板１２には、主係留索３１上部の端末加工部３３より径の大きい溝１２ａが形成されている。従って、上面フランジ板１２に端末加工部３３が当接して圧縮することはない。
【００２３】
チャッキングブロック１４ａ，１４ｂは、それぞれ、ケーシング１１のガイド面部１１ａ１，１１ｂ１に当接する被ガイド面部１４ａ１，１４ｂ１を備え（図９参照）、被ガイド面部１４ａ１，１４ｂ１がそれぞれガイド面部１１ａ１，１１ｂ１に接触して上下動すると、その間の間隔が大から小に変化する。また、チャッキングブロック１４ａ，１４ｂは、それぞれの内側に主係留索３１を抱持する湾曲面部１４ａ２，１４ｂ２を有する。湾曲面部１４ａ２，１４ｂ２は、それぞれ、主係留索３１を挟持せずに抱持、すなわち挟み付けることなく、多少の隙間を空けて保持するように、主係留索３１の最大径より少し大きい径の湾曲溝が形成されている。そのため、チャッキングブロック１４ａ，１４ｂが下方へ下がり、その対向する面同士が接触しても、湾曲面部１４ａ２，１４ｂ２の間では、主係留索３１を挟持せず、主係留索３１を抱持した状態となる。そのため、この回収金具１では、回収索７を巻上げても、重量のあるシンカー４や中層浮魚礁２等が連結された主係留索３１を挟持していないので、主係留索３１の一点に力が集中するということがなくなり、主係留索３１の切断を確実に防止して、シンカー４を含む中層浮魚礁２の全体を海中から確実に引き上げることができる。また、湾曲面部１４ａ２，１４ｂ２の上下方向の長さは、例えば、主係留索３１の最大径の５倍以上とする。この点でも、主係留索３１の１点に力が集中することを防止して、主係留索３１の切断を確実に防止できる。
【００２４】
また、チャッキングブロック１４ａ，１４ｂには、それぞれ、回転可能に支持されたロープ止め金具１４ａ３，１４ｂ３が設けられている。ロープ止め金具１４ａ３，１４ｂ３は、それぞれ、図７や図９に示すように円盤からほぼ半円部分を切り欠くと共に上端部を突出させた形状の切欠部１４ａ３１，１４ｂ３１を有している。ロープ止め金具１４ａ３，１４ｂ３は、この切欠部１４ａ３１，１４ｂ３１に主係留索３１が当ると回転し、その回転により主係留索３１を抜けないように捕捉しながらチャッキングブロック１４ａ，１４ｂの湾曲面部１４ａ２，１４ｂ２間に案内する。そのため、ロープ止め金具１４ａ３，１４ｂ３に主係留索３１が当たると、主係留索３１がロープ止め金具１４ａ３，１４ｂ３から外れずに湾曲面部１４ａ２，１４ｂ２間に確実かつ迅速に案内できる。また、主係留索３１が湾曲面部１４ａ２，１４ｂ２間から多少ずれていても、ロープ止め金具１４ａ３，１４ｂ３が主係留索３１を捕捉し回転して湾曲面部１４ａ２，１４ｂ２間に案内するので、主係留索３１を容易に抱持できることになる。特に、ロープ止め金具１４ａ３，１４ｂ３が回転可能であるので、湾曲面部１４ａ２，１４ｂ２との間で押さえても強い力で挟持することはあり得ない。また、主係留索３１の径は、一般的に直径約３８ｍｍ〜４５ｍｍのものが使用され、必ずしも統一されていないので、細い３８ｍｍの主係留索３１の場合、４５ｍｍ以上の主係留索３１に合わせた湾曲面部１４ａ２，１４ｂ２では、隙間が空き過ぎて動き（暴れ）過ぎる場合があるが、ロープ止め金具１４ａ３，１４ｂ３によりその動きを抑えることも可能となる。さらに、ロープ止め金具１４ａ３，１４ｂ３は、それぞれ反対方向に回転して主係留索３１を捕捉するので、その先端により広範囲で主係留索３１を捕捉できるだけでなく、主係留索３１の動きを抑えることが可能となる。またさらに、ロープ止め金具１４ａ３，１４ｂ３は、チャッキングブロック１４ａ，１４ｂの上下方向にずれた位置に設けられている。これにより、上下２箇所のずれた位置でロープ止め金具１４ａ３，１４ｂ３がそれぞれ反対方向に回転して主係留索３１を押さえるので、より広範囲で主係留索３１を捕捉できる。また、ロープ止め金具１４ａ３，１４ｂ３同士が当ることも防止できるので、チャッキングブロック１４ａ，１４ｂの端面同士をより近接させることが可能となり、より確実に主係留索３１の抱持と抜け止めを行うことができる。なお、湾曲面部１４ａ２，１４ｂ２の溝径は、前述のように直径約３８ｍｍ〜４５ｍｍのものが使用されるのであれば、予めその最大径の４５ｍｍを抱持できるように、４５ｍｍとほぼ同じかそれよりやや大きな溝径にして一の溝径のチャッキングブロック１４ａ，１４ｂにより対応しても良いし、主係留索３１の径に合わせてチャッキングブロック１４ａ，１４ｂを交換して湾曲面部１４ａ２，１４ｂ２の溝径を変更し、常に最適な状態で主係留索３１を抱持できるようにしても良い。
【００２５】
また、チャッキングブロック１４ａ，１４ｂそれぞれの上部には、湾曲面部１４ａ２，１４ｂ２が主係留索３１を抱持したときに、主係留索３１上部の端末加工部３３の下端に当接するように主係留索３１の最大径より大きく、かつ端末加工部３３の最大径部分より小さいＵ字溝が形成されたストッパー１７が設けられている。これにより、湾曲面部１４ａ２，１４ｂ２が主係留索３１を抱持し、ウインチ５１が回収索７を巻き上げると、ストッパー１７が端末加工部３３下端のコイル状のロープ３３ａに当接して、端末加工部３３に巻かれたロープ３３ａが圧縮してクッションの役割を果たす（図５参照。）。そのため、主係留索３１等に急激に大きな力がかかることを防止して、主係留索３１等の切断を防止できる。なお、図８（ａ）および図１０（ａ）では、ストッパー１７は、後述するガイドプレート１４ａ４，１４ｂ４により隠れている。ただし、チャッキングブロック１４ａ，１４ｂの上端部や上面フランジ板１２等によりストッパー１７を代用可能であれば、ストッパー１７は省略できる。また、チャッキングブロック１４ａ，１４ｂの前面には、それぞれ、主係留索３１をチャッキングブロック１４ａ，１４ｂ間にガイドする先広形状のガイドプレート１４ａ４，１４ｂ４が設けられている。なお、チャッキングブロック１４ａ，１４ｂやロープ止め金具１４ａ３，１４ｂ３は、金属性に限らず、強度が高く、かつ、摩擦係数の低い高密度ポリエチレン等のプラスチックで構成可能である。このようにすると、チャッキングブロック１４ａ，１４ｂの湾曲面部１４ａ２，１４ｂ２と主係留索３１との間の摩擦抵抗が小さくなるので、主係留索３１を抱持しても主係留索３１が滑り易くなり、主係留索３１の一点に強い力が働き切断することをさらに防止できると共に、軽量化できる。また、湾曲面部１４ａ２，１４ｂ２の湾曲面には、抱持した主係留索３１が撓うよう長手方向、すなわち図上上下方向にローレット加工等の溝加工を施しても良い。
【００２６】
押圧部材１５ａ，１５ｂは、それぞれ、圧縮ばね（図示せず）を内蔵したばねカバー１５ａ１，１５ｂ１と、圧縮ばねに連結された押さえピン１５ａ２，１５ｂ２とを有し、圧縮状態の圧縮ばねの復元力により押さえピン１５ａ２，１５ｂ２を押圧することにより、一対のチャッキングブロック１４ａ，１４ｂを下方に押し出す。
【００２７】
揺動フック１６は、取り付けピン１６ａによりケーシング１１裏面等に揺動可能に取り付けられており、主係留索３１を抱持するまでは、図８（ａ），（ｂ）および図９（ａ）に示すように押圧部１５ａ，１５ｂに押圧（圧縮）状態を保たせた状態で揺動フック１６先端がストッパー１７の底面に当接して、チャッキングブロック１４ａ，１４ｂが下方に移動することを阻止している。そして、ＲＯＶ８によりこの回収用工具１が主係留索３１のところまで運ばれてきて、図９（ｂ）に示すように回転するロープ止め金具１４ａ３，１４ｂ３により抑えられ、湾曲面部１４ａ２，１４ｂ２間に案内されると、図９（ｃ）に示すように移動阻止状態の揺動フック１６先端に主係留索３１が当接する。すると、図９（ｄ）に示すように揺動フック１６先端を後退させ、図１０（ｂ）に示すように揺動フック１６が揺動して、揺動フック１６先端がケーシング１１裏面側に押されて後退する。図１０（ｂ）に示すようにすると、ストッパー１７底面に揺動フック１６先端が存在しなくなるので、チャッキングブロック１４ａ，１４ｂは、その被ガイド面部１４ａ１，１４ｂ１をケーシング１１のガイド面部１１ａ１，１１ｂ１に接触させた状態でケーシング１１に対し前進、すなわち図上では下方に移動して、図１０（ａ）に示すようにその湾曲面部１４ａ２，１４ｂ２で主係留索３１を抱持した状態となる。そして、回収索７を巻き上げると、図５（ｂ）に示すようにチャッキングブロック１４ａ，１４ｂの上部のストッパー１７に主係留索３１上部の端末加工部３３の下端が当接して、図５（ｃ）に示すように端末加工部３３に巻かれたコイル状のロープ３３ａが圧縮してクッションの役割を果たして、主係留索３１等の切断を防止する。その結果、この回収用工具１では、ある程度の範囲の径の主係留索３１でもチャッキングブロック１４ａ，１４ｂの湾曲面部１４ａ２，１４ｂ２が一点集中にならずに確実に抱持し、しかもチャッキングブロック１４ａ，１４ｂ上部のストッパー１７が端末加工部３３に巻かれたロープ３３ａのクッション作用を利用して、主係留索３１等が切断されないようにコンクリートシンカー４を含む中層浮魚礁２の全体を海中から簡単かつ確実に引き上げることができる。
【００２８】
なお、本実施形態では、揺動フック１６によるチャッキングブロック１４ａ，１４ｂの解放は、主係留索３１がチャッキングブロック１４ａ，１４ｂ間に挟まれている揺動フック１６先端を主係留索３１が当接してケーシング１１裏面側に後退させることにより行うが、この回収用金具１を主係留索３１まで運ぶＲＯＶ８の操作により行うようにしても良い。また、本実施形態の中層浮魚礁の回収方法では、図７〜図１０に示す回収用金具１を使用して説明したが、本発明では、これに限らず、端末加工部３３に巻かれたコイル状のロープ３３ａを回収時のクッションとして利用できる回収用金具であれば、他の形態の回収用金具を使用するようにしても良い。
【産業上の利用可能性】
【００２９】
本発明の中層浮魚礁の回収方法および回収用金具は、ダイバーが潜れないような深い水深に設置された各種の水中浮力体を、主係留索や副係留索を切断することなくシンカーを含めたすべての部材を簡単かつ確実に引き上げることができる。そのため、本発明は、係留索を介して海水や淡水中の中層域に浮遊状態で係留される中層浮魚礁や観測ブイ等の水中浮力体をシンカーごと回収する技術分野に産業上の利用可能性がある。
【符号の説明】
【００３０】
１…回収用金具、１１…ケーシング、１１ａ１，１１ｂ１…ガイド面部、１２…上面フランジ板、１３ａ，１３ｂ…スライドガイド、１４ａ，１４ｂ…チャッキングブロック、１４ａ１，１４ｂ１…被ガイド面部、１４ａ２，１４ｂ２…湾曲面部、１４ａ３，１４ｂ３…ロープ止め金具、１４ａ３１，１４ｂ３１…切欠部、１５ａ，１５ｂ…押圧部材、１６…揺動フック、１７…ストッパー、２…中層浮魚礁、３１…主係留索、３２…副係留索、４…コンクリートシンカー、５…作業船、６…案内索、７…回収索、８…ＲＯＶ（遠隔操作無人探査機）
【図１】
0005766543.tif 000002
【図２】
0005766543.tif 000003
【図３】
0005766543.tif 000004
【図４】
0005766543.tif 000005
【図５】
0005766543.tif 000006
【図６】
0005766543.tif 000007
【図７】
0005766543.tif 000008
【図８】
0005766543.tif 000009
【図９】
0005766543.tif 000010
【図１０】
0005766543.tif 000011